(57)【要約】【課題】治療用ハンドピースと治療用モータ間における回転軸まわりの軸方向の空間を遮断し、治療用モータのロータを支えるベアリングやモータ構成部品に治療用ハンドピース側からの塵埃が侵入しないようにする。【解決手段】治療用モータ１００は、端部に回転軸１１を支持するベアリング１５を有するモータシース１０と、モータシース１０に連結されたジャンクション２０とから成り、該ジャンクションに治療用ハンドピース２００を挿脱自在に装着し、該治療用ハンドピース２００内の治療具に前記回転軸１１の回転を伝達する。モータシース１０とジャンクション２０との連結部にシールリング５０を有し、該シールリング５０は、前記連結部をシールするとともに、前記回転軸まわりの軸方向の空間を遮断し、治療用ハンドピース２００側からの塵埃がベアリング１５やモータ構成部品に侵入するのを防止する。【選択図】図１
2010046269.tif 000002
【特許請求の範囲】
【請求項１】
内部にモータ構成部品を収納し、端部にモータの回転軸を支持するベアリングを有するモータシースと、該モータシースの先端部に着脱自在に連結されたジャンクションとから成り、該ジャンクションに治療用ハンドピースを挿脱自在に装着し、該治療用ハンドピース内の治療具に前記回転軸の回転を伝達するようにした治療用モータにおいて、
前記モータシースと前記ジャンクションとの連結部に介装されるシールリングを有し、該シールリングは、前記連結部をシールするとともに、前記回転軸まわりの軸方向の空間を遮断することを特徴とした治療用モータ。
【請求項２】
前記シールリングの内周は前記回転軸に接触して該回転軸を挿通し、該回転軸まわりの軸方向の空間を遮断するものであることを特徴とする請求項１に記載の治療用モータ。
【請求項３】
前記シールリングの内周面は、軸方向に幅広であることを特徴とする請求項２に記載の治療用モータ。
【請求項４】
前記シールリングの内周面は、前記回転軸の軸方向先端側で前記回転軸に接触するものであることを特徴とする請求項３に記載の治療用モータ。
【発明の詳細な説明】
【技術分野】
【０００１】
本発明は、各種治療用ハンドピースを着脱自在にかつ交換可能に装着する治療用モータに係り、特に、該治療用モータの回転軸を回転可能に支持するベアリング及びモータ構成部品に、前記治療用ハンドピースの治療具による治療作業によって生じる（生理食塩液等を含む）粉塵等が侵入しないようにし、ベアリングやモータ構成部品（例えば、コア等の金属部品）への生理食塩液等の侵入による腐食を防止するようにしたシールリングの配設構造に関する。
【背景技術】
【０００２】
図３は、本発明が適用される治療用モータの一例を説明するための要部断面図で、図中、１００は治療用（低電圧）モータで、該治療用モータ１００はマグネット等を内蔵するモータシース１０と、該モータシース１０の先端部にボルト３１等によって着脱自在に連結されるジャンクション２０とで構成されており、この治療用モータ１００に、各種治療用ハンドピース２００が交換可能に装着され、該治療用モータ１００の回転が該治療用ハンドピース２００内の治療具に伝達されるようになっている。
【０００３】
更に詳細に説明すると、図３において、１１はモータの回転軸、１２はモータのロータを構成する永久磁石、１３はモータのステータを構成するコイル、１４はバランサ、１５はベアリングで、周知のように、モータシース１０内には、モータの回転軸１１がベアリング１５にて回転可能に収納され、ステータコイル１３によって生成される回転磁界に従ってロータ（従って、回転軸１１）が回転するようになっている。１６はモータシース１０の先端部から突出して設けられた回転止め用の突起で、治療用モータ１００に治療用ハンドピース２００が挿着された時に、該突起１６が治療用ハンドピース２００の後端部に設けられた凹部２０１に挿入され、該治療用ハンドピース２００の治療用モータ１００に対する回転を防止する。
【０００４】
４１，４２は、モータの回転軸１１と治療用ハンドピース２００の回転軸２０２とを連結するための連結部材で、連結部材４１は、周知のように（図４に示すように）、一端側にモータの回転軸１１を挿入するための筒部４１1を有し、回転軸１１を径方向に横切って設けられた孔１１1と、連結部材４１に設けられた孔４１1’とを通して挿入されるピン４３によって、モータの回転軸１１と連結部材４１とが連結される。連結部材４１の反対側の軸４１2（図３参照）は、円筒の連結部材４２に挿通され、該連結部材４２に設けられたピン孔４２’（と軸４１2に設けられたピン孔４１”と）を通してピン４４が挿通され、これにより、モータの回転軸１１と連結部材４２とが連結される。
【０００５】
連結部材４２の先端は、２股４２2に形成されており、この２股部の間隙に、治療用ハンドピース２００側の回転軸２０２の２股の脚部２０２1が係合され（図４参照）、これにより、治療用ハンドピース２００を治療用モータ１００に差し込むだけで、治療用モータ１００側の回転軸１１と治療用ハンドピース２００側の回転軸２０２が連結される。
【０００６】
治療用モータ１００の回転を治療用ハンドピース２００内の治療具（例えば、刃物）に伝達するために、モータシース１０の先端部にジャンクション２０をボルト３１等によって連結し、このジャンクション２０に治療用ハンドピース２００を挿脱可能としているが、モータシース１０とジャンクション２０の連結部の隙間を通して、外部より内部（回転軸側）に水分等が侵入する恐れがあり、そのため、これらの連結部にＯリング３０を設けている。
【０００７】
上述のように、治療用モータ１００においては、モータシース１０とジャンクション２０との連結部にＯリング３０を設けて、外部から水分等の異物が内部に侵入しないようにしているが、回転軸１１が挿通される内部空間は治療用ハンドピース２００まで連通しており、治療作業中に、治療用ハンドピース２００側で発生した生理食塩液等を含む塵埃等が、矢印Ａにて示すように、回転軸が挿通される内部空間を通して治療用モータ１００まで達し、該治療用モータ１００に設けられているベアリング１５に達し、該ベアリング１５を腐食し、更には、モータ構成部品（例えば、コア１７等の金属部品）まで達し、これらをも腐食してしまう恐れがある。
【発明の開示】
【発明が解決しようとする課題】
【０００８】
本発明は、上述のごとき実情に鑑みてなされたもので、治療用ハンドピースの治療具に回転を与える治療用モータにおいて、モータシースとジャンクションとの連結部にシールリングを設け、該シールリングによって前記連結部をシールするとともに、該シールリングによって回転軸が挿通される内部空間を遮断し、前記治療用ハンドピースと治療用モータ間における回転軸まわりの軸方向の空間を遮断し、前記治療用モータを支えるベアリングやモータ構成部品に治療用ハンドピース側からの塵埃が侵入しないようにし、前記ベアリングやモータ構成部品の破損を防止することを目的としてなされたものである。
【課題を解決するための手段】
【０００９】
請求項１の発明は、内部にモータ構成部品を収納し、端部にモータの回転軸を支持するベアリングを有するモータシースと、該モータシースの先端部に着脱自在に連結されたジャンクションとから成り、該ジャンクションに治療用ハンドピースを挿脱自在に装着し、該治療用ハンドピース内の治療具に前記回転軸の回転を伝達するようにした治療用モータにおいて、前記モータシースと前記ジャンクションとの連結部に介装されるシールリングを有し、該シールリングは、前記連結部をシールするとともに、前記回転軸まわりの軸方向の空間を遮断することを特徴としたものである。
【００１０】
請求項２の発明は、請求項１の発明において、前記シールリングの内周は前記回転軸に接触して該回転軸を挿通し、該回転軸まわりの軸方向の空間を遮断するものであることを特徴としたものである。
【００１１】
請求項３の発明は、請求項２の発明において、前記シールリングの内周面は、軸方向に幅広であることを特徴としたものである。
【００１２】
請求項４の発明は、請求項３の発明において、前記シールリングの内周面は、前記回転軸の軸方向先端側で前記回転軸に接触するものであることを特徴としたものである。
【発明の効果】
【００１３】
治療用ハンドピースの治療具に回転を与える治療用モータにおいて、モータシースとジャンクションとの連結部にシールリングを設け、該シールリングによって前記連結部をシールするとともに、該シールリングによって回転軸が挿通される内部空間を遮断し、前記治療用ハンドピースと治療用モータとの間における回転軸まわりの軸方向の空間を遮断し、前記治療用モータのベアリングやモータ構成部品に治療用ハンドピース側からの塵埃が侵入しないようにしたので、前記ベアリングやモータ構成部品の破損や腐食を防止することができる。
【発明を実施するための最良の形態】
【００１４】
図１は、本発明の一実施例を説明するための要部構成図で、図３のＩ部に相当する部分を拡大して示す断面図（ただし、治療用モータ１００に治療用ハンドピース２００が装着された状態）で、図３に示した従来技術とは、従来技術におけるＯリング３０に代わって、シールリング５０を用いている点で異なっており、その他は同じであるので、以下、シールリング５０について説明し、その他についての説明は省略する。
【００１５】
本発明におけるシールリング５０は、図１に示すように、モータシース１０とジャンクション２０の間に介装されて、これらモータシース１０とジャンクション２０の連結部をシールするシール部５０1と、治療用ハンドピース２００側の回転軸２０２が挿通される軸方向の空間と治療用モータ１００側の回転軸１１が挿通される軸方向の空間とを遮断するシール部５０2と、回転軸と接触して、該回転軸とシールリング５０との間をシールするシール部５０3とよりなり、該シールリング５０が、図１に示したように、モータシース１０とジャンクション２０との間に介装され、シール部５０1がボルト３１によって連結締め付けられ、これらモータシース１０とジャンクション２０との連結部をシール（図３に示した従来技術におけるＯリング３０と同じ作用）し、同時に、シール部５０2によって回転軸まわりの軸方向の空間をシールし、更に、シール部５０3によって回転軸とシールリング５０との接触部をシールしている。
【００１６】
シールリング５０の内径部に形成されるシール部５０3は、回転軸方向に幅広に形成して回転軸との接触長を長くすることにより、シールをより確実にすることができるが、その分、回転に対する抵抗が大きくなるので、先端部側５０3’で回転軸に少し強めに接触するようにすれば、回転抵抗を少なくして、しかも、シールを確実に行うことができる。
【００１７】
上述のように、本発明のシールリング部材を用いると、単に、該シールリング部材をモータシースとジャンクションの間に介装締め付けるのみで、該モータシースとジャンクションの連結部をシールできるばかりでなく、治療用ハンドピースと治療用モータを連結する回転軸の軸まわりの回転軸方向の空間をもシールすることができ、これによって、治療用ハンドピース側から治療用モータ側への軸まわり空間を通して、治療用モータ側の回転軸支持用ベアリングやモータ構成部品に達する塵埃等が阻止され、該ベアリングやモータ構成部品をこれら塵埃等から保護し、該ベアリングやモータ構成部品の損傷を防止することができる。
【図面の簡単な説明】
【００１８】
【図１】本発明による治療用モータの要部断面構成図である。
【図２】本発明の実施に用いるシールリング部材の一例を説明するための断面図である。
【図３】本発明が適用される従来の治療用モータの例を説明するための要部断面構成図である。
【図４】回転軸連結溝の詳細を示す斜視図である。
【符号の説明】
【００１９】
１０…モータシース、１１…回転軸、１２…モータのロータ、１３…モータのステータコイル、１４…バランサ、１５…ベアリング、２０…ジャンクション、３０…Ｏリング、５０…シールリング、１００…治療用モータ、２００…治療用ハンドピース。
【図１】
2010046269.tif 000003
【図２】
2010046269.tif 000004
【図３】
2010046269.tif 000005
【図４】
2010046269.tif 000006